(57)【要約】【課題】化粧プレートとボディとを結合する係止片が破損するのを防ぐことのできる熱線センサ付自動スイッチを提供する。【解決手段】熱線センサＴＰと、リレーＳＷと、熱線センサＴＰを収納するとともに検知範囲からの熱線を熱線センサＴＰの受光部に集光する集光レンズ３０を有するレンズブロック３と、集光レンズ３０を露出させる窓穴１１ｃを有し検知範囲を変化させるようにレンズブロック３を回動自在に保持するハウジングＡとを備え、ハウジングＡが天井面に埋込配設され、ハウジングＡは、後面が造営材の表面に当接するフランジ部１１を備え、フランジ部１１には、その前面を覆う化粧プレート５が取り付けられ、フランジ部１１に係止孔１１ｄを設けるとともに化粧プレート５に係止孔１１ｄに係止する係止爪５１を設け、フランジ部１１の外周縁及び化粧プレート５の内周縁に互いの回動を規制するリブ１１ｅ，５２をそれぞれ設けた。【選択図】図１
2010027398.tif 000002
【特許請求の範囲】
【請求項１】
人体から発せられる熱線を検知する熱線センサと、熱線センサの出力に応じて電源から負荷への給電を入／切するリレーと、熱線センサを収納するとともに検知範囲からの熱線を熱線センサの受光部に集光する集光レンズを有するレンズブロックと、集光レンズを露出させる窓穴を有し検知範囲を変化させるようにレンズブロックを回動自在に保持するハウジングとを備え、ハウジングが天井面に埋込配設される熱線センサ付自動スイッチであって、ハウジングは、後面が造営材の表面に当接するフランジ部を備え、フランジ部には、その前面を覆う化粧プレートが取り付けられ、フランジ部に係止孔を設けるとともに化粧プレートに係止孔に係止する係止爪を設け、フランジ部の外周縁及び化粧プレートの内周縁に互いの回動を規制する一乃至複数のリブをそれぞれ設けたことを特徴とする熱線センサ付自動スイッチ。
【請求項２】
前記化粧プレートのフランジ部と対向する面には、フランジ部の外形を象る補助リブが設けられたことを特徴とする請求項１記載の熱線センサ付自動スイッチ。
【発明の詳細な説明】
【技術分野】
【０００１】
本発明は、人体から放射される熱線を検知することにより人の存否を検出し、負荷を制御する熱線センサ付自動スイッチに関する。
【背景技術】
【０００２】
従来から、人体から放射される熱線を検知することにより人の存否を検出する熱線センサを備え、熱線センサの出力に応じて負荷を制御する熱線センサ付自動スイッチが提供されている。この種の熱線センサ付自動スイッチは、例えば負荷を照明とした場合、室内に人が入った時に照明をオンし、人が室外に退出した時に照明をオフするといった制御に用いられる。
【０００３】
以下、この種の熱線センサ付自動スイッチの従来例について図面を用いて説明する。但し、以下の説明では、図４における上下を前後方向と定めるものとする。この従来例は天井に取り付けられるものであって、図４に示すように、天井面に形成される取付穴（図示せず）の周部下面に当接するフランジ部１１及びフランジ部１１の後面中央部に突設された筒部１０を有するボディ１と、前面が開放された有底筒状であって筒部１０に結合して閉塞し収納部を形成するカバー２とから成るハウジングＡを備える。筒部１０の後端には４個の組立片１０ａが突設され、組立片１０ａに貫設した組立穴１０ｂに対してカバー２の前端部の外周面に突設した組立突起２０を係合させることによってボディ１とカバー２とが結合する。
【０００４】
ハウジングＡには、例えば焦電体エレメント等の赤外線検出エレメントから成る熱線センサＴＰが収納された球状のレンズブロック１００と、熱線センサＴＰの出力に応じてオン／オフするリレーＳＷが実装された第１のプリント配線板Ｐ１と、リレーＳＷの動作を設定するための切替スイッチ部（図示せず）や熱線センサＴＰの感度を設定するための可変抵抗（図示せず）等、手動で操作されるハンドルを有する素子が実装された第２のプリント配線板Ｐ２とが収納されている。ここで、第２のプリント配線板Ｐ２はレンズブロック１００の後側において実装面を前方へ向けて固定され、ボディ１の前方からハンドルを操作できるようになっている。また、第１のプリント配線板Ｐ１は、第２のプリント配線板Ｐ２の後側において実装面を後方へ向けて固定されている。
【０００５】
第１のプリント配線板Ｐ１には、リレーＳＷの他にリレーＳＷと電線（図示せず）とを接続するための３個の端子部６が実装されている。端子部６は所謂速結端子であって、互いに隣接して各々第１のプリント配線板Ｐ１に実装されてリレーＳＷに電気的に接続された２個の端子板６０と、カバー２に設けられた電線挿通穴２１から挿入された電線をそれぞれ端子板６０との間に鎖錠する２個の鎖錠ばね６１と、カバー２に設けられた解除穴２２から挿入されたマイナスドライバ等の治具に押圧されることにより２個の鎖錠ばね６１を同時に押圧して鎖錠を解除する１個の解除釦６２とから成る。これらの端子部６のうち１個の端子部６に電源側の電線を接続し、別の１個の端子部６に負荷側の電線を接続すれば、電源から負荷への給電をリレーＳＷによって入／切することができる。尚、残る１個の端子部６には、従来周知の熱線センサの子器（図示せず）が接続される。
【０００６】
レンズブロック１００は、検知範囲からの熱線を熱線センサＴＰの受光面に集光する略半球形状の集光レンズ１０１と、熱線センサＴＰが実装された基板Ｐ３と、基板Ｐ３が内側に取り付けられるとともに集光レンズ３０に結合して球形を形成する略半球形状の回転枠１０２と、集光レンズ１０１と回転枠１０２との結合部を覆う略環状の保持枠１０３とから成る。フランジ部１１の中央部には、筒部１０と連通するとともに集光レンズ１０１を露出させる窓穴（図示せず）が前後方向に貫設されている。また、レンズブロック１００の後側には、両端部が取付ねじ１１１によってフランジ部１１にねじ止めされた押さえ金具１１０の中間部が位置している。押さえ金具１１０とレンズブロック１００との間には、レンズブロック１００をフランジ部１１に押し付ける方向に付勢するコイルばね１１２が挿入されている。更に、回転枠１０２外面の開口を挟んだ２箇所には、それぞれ略円柱形状の軸部１０２ａが突設され、該軸部１０２ａがフランジ部１１後面の窓穴を挟んだ２箇所に形成されて窓穴と連通する凹部（図示せず）に収納されることにより、レンズブロック１００は軸部１０２ａを軸として回動自在となっている。而して、レンズブロック１００を回転させて集光レンズ１０１の向きを変えることで検知範囲を変化させることができる。
【０００７】
また、フランジ部１１後面の筒部１０を挟んだ両側には、天井の造営材をフランジ部１１との間で挟んでハウジングＡを固定するための挟み金具７が取り付けられる。挟み金具７は、一側面が筒部１０と対向する前後方向に長尺な略直方体形状であって、筒部１０から離れた側の一側面が開放されたガイド部７０と、ガイド部７０の長手方向の両端を貫通した引締めねじ７１と、一部がガイド部７０に収納されガイド部７０内部で引締めねじ７１に螺合した挟み片７２とを備える。
【０００８】
ガイド部７０の開口面に隣接する一側面の後端部には、開口に連通した切り欠き７０ａが設けられている。挟み片７２は、ガイド部７０の後端に位置している時に切り欠き７０ａに挿通可能となっており、挟み片７２が切り欠き７０ａに挿通された状態から引締めねじ７１を回動させると、挟み片７２が切り欠き７０ａから出てガイド部７０の開口面に沿って前方へ移動するようになっている。引締めねじ７１は、フランジ部１１に設けられた貫設穴１１ａからドライバを挿入して回動させることができるようになっており、フランジ部１１後面を天井面に当接させた状態で引締めねじ７１を回動させると、挟み片７２が切り欠き７０ａから出てフランジ部１１に近付く方向に移動し、挟み片７２とフランジ部１１との間で天井の造営材を挟持することができる。
【０００９】
また、フランジ部１１の挟み金具７が取り付けられる部位の近傍には、天井にフランジ部１１を直付けするためのねじや、天井面に埋込配設される埋込ボックス（図示せず）に結合するねじを挿通するためのねじ挿通穴１１ｂが貫設されている。更にハウジングＡには、天井面との間でフランジ部１１を覆う化粧プレート５が取り付けられており、フランジ部１１のねじ挿通穴１１ｂ等を覆い隠すことで見栄えを良くしている。尚、化粧プレート５には、レンズブロック１００を露出させる貫通穴５０が貫設されている。
【００１０】
尚、化粧プレート５の後面に後方へ突出する４本の係止片を突設するとともに、フランジ部１１に係止片が係止する４つの係止穴を貫設し、係止片を係止穴に係止させることによって化粧プレート５とボディ１とを容易に結合することのできる熱線センサ付自動スイッチが特許文献１に開示されている。
【特許文献１】特開２００５−１３５６１３号公報
【発明の開示】
【発明が解決しようとする課題】
【００１１】
しかしながら、上記特許文献１に記載の従来例では、化粧プレート５とボディ１とが結合している状態において化粧プレート５に自身が回動する方向の応力が加わった場合に、化粧プレート５の回動を規制する手段がないことから、化粧プレート５の回動に伴って係止片に応力かかかり、係止片が破損してしまう虞があった。
【００１２】
本発明は、上記の点に鑑みて為されたもので、化粧プレートとボディとを結合する係止片が破損するのを防ぐことのできる熱線センサ付自動スイッチを提供することを目的とする。
【課題を解決するための手段】
【００１３】
請求項１の発明は、上記目的を達成するために、人体から発せられる熱線を検知する熱線センサと、熱線センサの出力に応じて電源から負荷への給電を入／切するリレーと、熱線センサを収納するとともに検知範囲からの熱線を熱線センサの受光部に集光する集光レンズを有するレンズブロックと、集光レンズを露出させる窓穴を有し検知範囲を変化させるようにレンズブロックを回動自在に保持するハウジングとを備え、ハウジングが天井面に埋込配設される熱線センサ付自動スイッチであって、ハウジングは、後面が造営材の表面に当接するフランジ部を備え、フランジ部には、その前面を覆う化粧プレートが取り付けられ、フランジ部に係止孔を設けるとともに化粧プレートに係止孔に係止する係止爪を設け、フランジ部の外周縁及び化粧プレートの内周縁に互いの回動を規制する一乃至複数のリブをそれぞれ設けたことを特徴とする。
【００１４】
請求項２の発明は、請求項１の発明において、化粧プレートのフランジ部と対向する面には、フランジ部の外形を象る補助リブが設けられたことを特徴とする。
【発明の効果】
【００１５】
請求項１の発明によれば、フランジ部に化粧プレートを取り付けた状態において、何れの回動もリブによって規制することができるので、回動に伴って係止片に応力がかかるのを防ぐことができ、したがって化粧プレートとボディとを結合する係止片が破損するのを防ぐことができる。
【００１６】
請求項２の発明によれば、フランジ部に化粧プレートを取り付ける際に、補助リブがフランジ部の外形を象っていることから化粧プレートにフランジ部を直感的に合わせることができ、したがって組立時の作業性を向上させることができる。
【発明を実施するための最良の形態】
【００１７】
以下、本発明に係る熱線センサ付自動スイッチの実施形態について図面を用いて説明する。但し、本実施形態の基本的な構成は従来例とほぼ共通であるので、形状に若干の違いがあっても機能が共通する構成要素には同一の番号を付して説明を省略する。また、以下の説明では、図２（ｂ）では上下方向を前後方向と定めるが、天井に埋込配設された実際の使用状態では前方（図２（ｂ）における上方）が下方、後方（図２（ｂ）における下方）が上方となる。本実施形態は、図１（ａ），（ｂ）に示すように、化粧プレート５後面の内周縁、及びボディ１のフランジ部１１の外周縁にそれぞれ互いの回動を規制するリブ５２，１１ｅを設けたことに特徴がある。
【００１８】
尚、本実施形態では、図２（ｂ）に示すように、従来例のレンズブロック１００の代わりに、集光レンズ３０と、熱線センサＴＰが実装された基板Ｐ３と、後面が開口するとともに前端部に貫設された開口部に集光レンズ３０を配設した第１の枠体３１、及び前面が開口するとともに基板Ｐ３が固定される第２の枠体３２の各開口面を互いに結合して成る回転枠とから成るレンズブロック３を用いている。また、従来例の押さえ金具１１０及びコイルばね１１２の代わりに、フランジ部１１に貫設された窓穴１１ｃ側にレンズブロック３を付勢する略円環状のばね部材４を用いている。また、端子部６は略直方体状の端子カバー６３によって覆われている。
【００１９】
化粧プレート５後面には、図３（ａ）に示すように、略中央部を中心とした略正方形の頂点の位置にそれぞれ後方に突出する係止片５１を形成している。また、貫設穴５０を挟んだ両側（同図における左右）の内周縁には、それぞれ１対の略矩形状のリブ５２を内方へ突設している。これらのリブ５２の間には、貫設穴５０を挟んだ前記両側を除いて略円弧状の補助リブ５３が内周に沿って設けられている。また、貫設穴５０を挟んだ一方の側（同図における左側）の内周縁には、化粧プレート５をフランジ部１１から取り外すためにマイナスドライバなどの治具が挿入される略矩形状の嵌合凹部５４が設けられている。
【００２０】
フランジ部１１前面には、図３（ｂ）に示すように、化粧プレート５を取り付ける際に係止片５１と対向する位置にそれぞれ略矩形状の係止穴１１ｄが貫設されている。また、フランジ部１１の外周縁には、化粧プレート５を取り付けた状態において化粧プレート５の各対のリブ５２の間に位置する略矩形状のリブ１１ｅが外方へ突出する形で一体に形成されている。更に、一方の側（同図における右側）のリブ１１ｅには、化粧プレート５の嵌合凹部５４に嵌合する略矩形状の嵌合突起１１ｆが外方へ突出する形で一体に形成されている。尚、この嵌合突起１１ｆは、嵌合凹部５４に挿入された治具で化粧プレート５に前向きの力を加える際に治具の先端に当接し、天井面が治具の先端で傷つくのを防ぐ為のものである。
【００２１】
而して、化粧プレート５をフランジ部１１に取り付けた状態（図２（ａ）参照）において化粧プレート５に自身が回動する方向の応力が加わった場合に、化粧プレート５のリブ５２とフランジ部１１のリブ１１ｅとが当接することで互いの回動を規制するので、回動に伴って係止片５１に応力がかかるのを防ぐことができ、したがって係止片５１が破損するのを防ぐことができる。
【００２２】
また、本実施形態では、図３（ａ）に示すように、化粧プレート５の補助リブ５３に囲まれた部位が平面視でフランジ部１１の外形を象っているため、フランジ部１１に化粧プレート５を取り付ける際に、化粧プレート５にフランジ部１１を直感的に合わせることができ、したがって組立時の作業性を向上させることができる。また、化粧プレート５及びフランジ部１１にそれぞれ互いに嵌合する嵌合凹部５４及び嵌合突起１１ｆを設けているので、より直感的に化粧プレート５をフランジ部１１に合わせることができる。
【図面の簡単な説明】
【００２３】
【図１】本発明に係る熱線センサ付自動スイッチの実施形態を示す図で、（ａ）は化粧プレートの後面図で、（ｂ）はフランジ部に化粧プレートを取り付けた状態の要部拡大図である。
【図２】（ａ）は同上の全体斜視図で、（ｂ）は同上の分解斜視図である。
【図３】同上の要部説明図で、（ａ）は化粧プレートの後面図で、（ｂ）はフランジ部の前面図である。
【図４】従来の熱線センサ付自動スイッチを示す分解斜視図である。
【符号の説明】
【００２４】
１１  フランジ部
１１ｄ  係止孔
１１ｅ  リブ
５  化粧プレート
５１  係止片
５２  リブ
【図１】
2010027398.tif 000003
【図２】
2010027398.tif 000004
【図３】
2010027398.tif 000005
【図４】
2010027398.tif 000006